(57)【特許請求の範囲】
【請求項１】
すだれ状トランスデューサでそれぞれ形成された直列アーム弾性表面波共振子と並列アーム弾性表面波共振子によって構成されるはしご型回路を２段以上備え、
前記２段以上のはしご型回路によって１つ以上のπ型回路が形成される形で、そのはしご型回路が縦続接続されて同一の圧電基板上に形成される弾性表面波フィルタであって、
前記π型回路の直列アーム弾性表面波共振子と同一ピッチのすだれ状トランスデューサを有する段間整合用弾性表面波共振子を、該π型回路の直列アーム弾性表面波共振子と直列に接続したことを特徴とする弾性表面波フィルタ。
【請求項２】
請求項１記載の弾性表面波フィルタにおいて、
前記段間整合用弾性表面波共振子のトランスデューサのピッチを、前記π型回路における直列アーム弾性表面波共振子のトランスデューサのピッチより狭くし、共振周波数と反共振周波数をさらに数ＭＨｚから数十ＭＨｚ高域に移動させる構成にしたことを特徴とする弾性表面波フィルタ。
【請求項３】
請求項１記載の弾性表面波フィルタにおいて、
前記段間整合用弾性表面波共振子を複数の直列弾性表面波共振子に分解し、これらの分解した直列弾性表面波共振子系の静電容量を、分解前の段間整合用弾性表面波共振子の静電容量とほぼ同一にし、該分解された各々の直列弾性表面波共振子のトランスデューサのピッチを、それぞれ前記π型回路における直列アーム弾性表面波共振子のトランスデューサのピッチより狭くしながら異なる値にし、該分解された直列弾性表面波共振子の共振周波数と反共振周波数を、数ＭＨｚから数十ＭＨｚを基準にして、さらに高域に移動させる構成にしたことを特徴とする弾性表面波フィルタ。
【請求項４】
請求項１記載の弾性表面波フィルタにおいて、
前記π型回路の直列アーム弾性表面波共振子と同一ピッチのトランスデューサを有する段間整合用弾性表面波共振子と、これに直列に接続される該直列アーム弾性表面波共振子とを合成して、弾性表面波共振子の数を減らす構成にしたことを特徴とする弾性表面波フィルタ。
【発明の詳細な説明】
【０００１】
【発明の属する技術分野】
本発明は、自動車電話器、携帯電話器、通信機器等の種々の回路に用いられる共振器型の弾性表面波（Ｓｕｒｆａｃｅ  Ａｃｏｕｓｔｉｃ  Ｗａｖｅ  、以下「ＳＡＷ」という）フィルタ、特にこの共振器型のＳＡＷフィルタの伝送特性改善に関するものである。
【０００２】
【従来の技術】
一般的にＳＡＷ装置は、ＳＡＷを励振するためのすだれ状トランスデューサ（Ｉｎｔｅｒｄｉｇｉｔａｌ  Ｔｒａｎｓｄｕｃｅｒ  、以下「ＩＤＴ」という）を有し、このＩＤＴを加工することによってＳＡＷ装置にいろいろな特性や機能を持たせることができる。従来、ＳＡＷ装置といえば主にＳＡＷフィルタを指すことが多く、そしてこのＳＡＷフィルタの中では多電極型ＳＡＷフィルタが主役である。近年、多電極型ＳＡＷフィルタの他に、共振器型ＳＡＷフィルタの研究開発も盛んになり、ＳＡＷフィルタと言えば必ずしも多電極型ＳＡＷフィルタを意味しなくなってきた。  共振器型ＳＡＷフィルタは、古典的な電気フィルタの設計方法に基づき、ＳＡＷ共振子を用いて構成されるフィルタである。ＳＡＷ共振子の本体はＩＤＴであり、場合によってはこのＩＤＴの左右に反射器を設け、これらのＩＤＴ及び反射器が圧電基板上に形成される。反射器もＩＤＴと同様にすだれ状電極指で構成され、全電極指が電気的に短絡される場合もあれば、解放される場合もある。反射器は、主にＩＤＴの励振したＳＡＷが該ＩＤＴの左右に漏洩するので、これを音響的に反射するための装置である。反射器の構成にはいろいろあるが、基本的には２種類あり、全電極指が電気的に短絡されたものと、解放されたものとがあり、これらはＳＡＷ共振子の特性への影響がほとんど同じである。
【０００３】
ＳＡＷ共振子のインピーダンス特性は、ＬＣ共振器のインピーダンス特性に極めて類似しているため、従来の古典的な電気フィルタの設計方法が適用できる。図５は、従来のＳＡＷ共振子の一構成例を示す平面図である。
図５のＳＡＷ共振子１０は、例えばＬｉＴａＯ３  、ＬｉＮｂＯ３  、水晶等のような圧電基板１１を有し、この圧電基板１１上に、入力端子１２、出力端子１３、及び複数本の電極指１４ａを有するＩＤＴ１４が形成されると共に、このＩＤＴ１４の両側に反射器１５−１，１５−２が形成されている。反射器１５−１，１５−２は、これを必要としない場合には除去される。
図６（ａ）〜（ｃ）は図５に示されたＳＡＷ共振用反射器の平面図であり、同図（ａ）は略図、同図（ｂ）は短絡型、及び同図（ｃ）は解放型の構成例である。
【０００４】
反射器１５−１，１５−２には一般的に、全電極指１５ａが電気的に短絡された状態の短絡型と、全電極指１５ａが解放された状態の解放型とがある。反射器１５−１，１５−２の電極指１５ａの本数は、例えば５０本〜１００本程度が適当である。また、反射器１５−１，１５−２の配置は、所望のインピーダンスを得るためにいろいろあるが、ＩＤＴ１４に一番隣接している反射器１５−１，１５−２の電極指中心と該反射器１５−１，１５−２に隣接しているＩＤＴ１４の一番外側の電極指中心の距離が、励振するＳＡＷの半波長前後にすることが一般的である。製造過程において、例えば、ＩＤＴ１４と反射器１５−１，１５−２とは同時に形成されるので、膜厚及び材質が同じである。目安として、膜厚は数百Åから数千Åまで、材質は純ＡｌまたはＡｌを主材料とする合金が一般的であるが、場合によって純Ａｕ、純Ｔｉまたはこれらの金属を主材料とする合金が用いられる場合もある。
【０００５】
このように構成されるＳＡＷ共振子１０は、ＬＣ共振器とよく似たリアクタンス特性を示すため、その等価回路を近似的に表されることが多い。
図７（ａ），（ｂ）は、図５に示すＳＡＷ共振子１０の等価回路とリアクタンス特性を示す図である。
図７（ａ）の等価回路では、インダクタＬ、キャパシタｃ１  及び抵抗ｒが直列に接続され、これらと並列にキャパシタＣ０  が接続されている。このリアクタンス特性が図７（ｂ）に示されている。このようなリアクタンス特性の素子で電気フィルタを設計する方法は、古くから知られている。
次に、（１）共振子で帯域フィルタを構成する方法、及び（２）ＳＡＷ共振子の合成方法について説明する。
【０００６】
（１）  共振子で帯域フィルタを構成する方法
共振子で構成するフィルタの基本回路は、はしご型回路であり、この例を図８（ａ），（ｂ）に示す。
図８（ａ），（ｂ）は、一般的な１段はしご型回路の二通りの例を示す構成図である。
図８の（ａ）と（ｂ）は対称で、（ａ）の左の端子２１−１，２２−１からみたインピーダンスは、（ｂ）の右の端子２１−１，２２−１からみたインピーダンスに等しく、（ａ）の右の端子２１−２，２２−２からみたインピーダンスは、（ｂ）の左の端子２１−２，２２−２からみたインピーダンスに等しい。共振子でフィルタを構成するときは、はしご型回路間のインピーダンスを考えながら、図８の（ａ）または（ｂ）を選択する。
【０００７】
図８のはしご型回路２０は、並列アーム（ａｒｍ、腕）共振子２３と、直列アーム共振子２４とで構成されている。並列アーム共振子２３の反共振周波数と直列アーム共振子２４の共振周波数が非常に接近または一致すれば、系全体の入力端子２１−１，２２−１と出力端子２１−２，２２−２における整合状態が極めて良好で、帯域フィルタの特性が得られる。
図９は、図８に示す１段はしご型回路２０の挿入損失特性の説明図である。
図９の（ａ）は、図８の共振子２３，２４のリアクタンス特性を示している。ＸｐとＸｓはそれぞれ共振子２３と２４のリアクタンス特性である。共振周波数と反共振周波数は、図９に示されている通りである。結果的に、図８に示される１段はしご型回路２０の挿入損失特性は、図９の（ｂ）のような特性になる。この特性は帯域フィルタの挿入損失特性で、はしご型回路２０の段数を増やすことにより、通過帯域の挿入損失と帯域外の左右の減衰量が増加する。従って、フィルタの構成に必要な段数は、フィルタの特性の条件によって決まる。
しかし、フィルタを構成するはしご型回路２０の段数が増加すると、共振子２３，２４の数もこれに比例して増加する。
【０００８】
図１０は、従来の共振子合成前の４段はしご型回路で構成される共振器型フィルタの例を示す構成図である。
この共振器型フィルタでは、図８の１段はしご型回路２０が縦続的に４段（２０−１〜２０−４）接続されている。但し、各段間の信号の相互反射を考慮して、縦続接続するときにインピーダンスの等しい端子同士で接続させる。結果的に、直列アームにおいて２組の２個直列接続共振子系、及び並列アームにおいて１組の２個並列接続共振子系ができる。各段のはしご型回路２０−１〜２０−４に２個の共振子２３−１，２４−１〜２３−４，２４−４があるので、合計８個の共振子が必要になってくるが、一般的に直列に接続する２個の共振子または並列に接続する２個の共振子は、１個の共振子に合成することが可能である。この合成共振子は、前記２個の共振子系とほぼ同じインピーダンス特性を持っていることが特徴である。例えば、１段目はしご型回路２０−１の共振子２４−１と２段目はしご型回路２０−２の共振子２４−２、及び３段目はしご型回路２０−３の共振子２４−３と４段目はしご型回路２０−４の共振子２４−４は、それぞれ直列に接続し、２段目はしご型回路２０−２の共振子２３−２と３段目はしご型回路２０−３の共振子２３−３は並列に接続する。ここで、それぞれの共振子系を合成すると、図１０の４段はしご型フィルタの構成が、図１１に示されるようになる。
【０００９】
図１１は、図１０の共振子合成後の４段はしご型回路で構成される共振器型フィルタを示す構成図である。
図１０の共振器型フィルタでは、合計８個の共振子２３−１，２４−１〜２３−４，２４−４が必要なのに、共振子合成を行うことによって図１１に示されるように、５個の共振子２３−１，２３−２３，２３−４，２４−１２，２４−３４で同じ伝送特性及びインピーダンス特性の共振器型フィルタを得ることができる。図１１の共振子２４−１２は図１０の共振子２４−１と２４−２の直列合成共振子、共振子２４−３４は図１０の共振子２４−３と２４−４の直列合成共振子、さらに共振子２３−２３は図１０の共振子２３−２と２３−３の並列合成共振子である。
【００１０】
（２）  ＳＡＷ共振子の合成方法
図１０のはしご型回路２０−１〜２０−４を構成する共振子２３−１，２４−１，…がＳＡＷ共振子であれば、その合成方法は図１２（ａ）〜（ｃ）に示されている通りである。
図１２（ａ）〜（ｃ）は従来のＳＡＷ共振子の合成方法を説明する図であり、同図（ａ）は単体のＳＡＷ共振子、同図（ｂ）は直列接続ＳＡＷ共振子とその合成後のＳＡＷ共振子、及び同図（ｃ）は並列接続ＳＡＷ共振子とその合成後のＳＡＷ共振子を示す図である。
図１２（ａ）に示すように、従来の単体ＳＡＷ共振子１０Ａは、入力端子１２及び出力端子１３を有し、これらは複数の電極指１４ａを有するＩＤＴ１４に接続されている。このＳＡＷ共振子１０Ａでは反射器を省略しているが、この反射器はあっても差しつかえない。ＷはＩＤＴ１４の交差長、λは励振するＳＡＷの波長であってＩＤＴ１４のピッチの２倍に等しい。
【００１１】
例えば、図１２（ａ）〜（ｃ）に示すように、２個のＳＡＷ共振子１０Ａ−１，１０Ａ−２を合成するとき、同一構成の２個の直列接続ＳＡＷ共振子１０Ａ−１，１０Ａ−２を１個のＳＡＷ共振子１０Ａ−１２に合成すると、後者の交差長が前者の単体の交差長Ｗの半分になる。同一構成の２個の並列接続ＳＡＷ共振子１０Ａ−１，１０Ａ−２を１個のＳＡＷ共振子１０Ａ−１２に合成すると、後者の交差長が前者の単体の交差長Ｗの２倍になる。
合成方法は、各ＳＡＷ共振子１０Ａ−１，１０Ａ−２のインピーダンスを実質的に支配している電極指１４ａの静電容量の合成を基本にしている。即ち、直列合成の場合では、直列接続させる同じ静電容量Ｃの２個の素子系は静電容量Ｃ／２の素子と等価であるので、合成後のＳＡＷ共振子１０Ａ−１２の交差長が合成前の単体ＳＡＷ共振子１０Ａ−１，１０Ａ−２の交差長Ｗの半分になる。並列合成の場合では、並列接続させる同じ静電容量Ｃの２個の素子系は静電容量２Ｃの素子と等価であるので、合成後のＳＡＷ共振子１０Ａ−１２の交差長が合成前の単体ＳＡＷ共振子１０Ａ−１，１０Ａ−２の交差長Ｗの２倍になる。この合成方法は厳密な方法ではないが、実験的にはそれぞれの場合の合成ＳＡＷ共振子１０Ａ−１２のインピーダンス特性は、合成前の直列接続ＳＡＷ共振子系または並列接続ＳＡＷ共振子系のインピーダンス特性とほぼ同じであることを確認した。
【００１２】
このようにして共振器系フィルタの共振子を合成していく。例えば、４段はしご型回路で構成される共振器型ＳＡＷフィルタの場合では８個のＳＡＷ共振子を必要とするが、５個のＳＡＷ共振子で同じ伝送特性とインピーダンス特性の共振器型ＳＡＷフィルタを構成することが可能である。即ち、用いられるＳＡＷ共振子の数はほぼ段数と同じである。また、帯域外減衰量はほぼはしご型回路の段数に比例して増加するので、所望のフィルタの特性が決まれば、その段数もほぼ決まる。
【００１３】
【発明が解決しようとする課題】
しかしながら、従来の共振器型ＳＡＷフィルタでは、次のような課題があった。
図１３は、図１１の共振器型ＳＡＷフィルタの伝送特性（挿入損失特性と反射損失特性）を示す図である。
図１３のＡ１は、通過帯域低域側における挿入損失特性の劣化部分、及びＡ２はその反射損失特性の劣化部分である。この図から明らかなように、通過帯域低域側の特性が傾いていることがわかる。これと同時に、同じ帯域で反射損失特性が異常に盛り上がり、不整合損失が高いことが示されている。この不整合損失の原因は、段間接続によるインピーダンス不整合である。
挿入損失は通過帯域において損失の大きい値を指す場合が一般的なので、特性の通過帯域の低域が傾いているため、フィルタの評価が悪くなってしまう。即ち、このような場合では、通過帯域の高域において損失が低くても、フィルタは低損失と評価されない。そのため、通過帯域の挿入損失特性の変動が少なければ少ないほど、望ましいわけである。
【００１４】
共振器型ＳＡＷフィルタの挿入損失特性Ａ１の劣化の原因は、次のように説明できる。
はしご型回路２０が１段のときフィルタの挿入損失特性はほぼ全体的に対称であるが、段数が図１１のように２段か３段以上になると通過帯域低域側の挿入損失特性が低域の方に傾き始め、段数が多くなるとその勾配も急になる。そのため、通過帯域低域の挿入損失特性が傾く原因は、段間接続にあると考えられる。さらに、シミュレーションと実験で確認したところ、フィルタのはしご型回路中にπ型回路が形成されると、通過帯域低域が傾き始めることがわかった。即ち、段数が３段以上になると、はしご型回路中には必ずπ型回路が形成されるから、段数が３段以上になれば上述したような通過帯域の挿入損失特性の失劣化が必ず発生する。しかし、段数が２段のとき、構成の仕方によってはしご型回路がＴ型になったり、π型になったりするので、Ｔ型回路の場合では上述したような通過帯域の挿入損失特性の劣化はないが、π型回路になると挿入損失特性の劣化が現われる。
【００１５】
ここで、Ｔ型回路とπ型回路との相違点をはっきりさせるために、図１４（ａ），（ｂ）を用いてさらに説明する。
図１４（ａ），（ｂ）は従来の２段はしご型回路の構成図であり、同図（ａ）はＴ型回路、及び同図（ｂ）はπ型回路の構成図である。
図１４（ａ）のＴ型回路は、３個のＳＡＷ共振子２３−００，２４−０１，２４−０２で構成されている。ＳＡＷ共振子２４−０１と２４−０２は同一構成のＳＡＷ共振子で、図１０のＳＡＷ共振子２４−１，２４−２，２４−３，２４−４に相当している。ＳＡＷ共振子２３−００は、図１０のＳＡＷ共振子２３−２と２３−３の並列合成ＳＡＷ共振子、または図１１のＳＡＷ共振子２３−２３に相当する。図１４（ｂ）のπ型回路は、３個のＳＡＷ共振子２３−０１，２３−０２，２４−００で構成されている。ＳＡＷ共振子２３−０１と２３−０２は同一構成のＳＡＷ共振子で、図１０のＳＡＷ共振子２３−１，２３−２，２３−３，２３−４に相当している。ＳＡＷ共振子２４−００は、図１０のＳＡＷ共振子２４−１と２４−２、あるいは２４−３と２４−４の直列合成ＳＡＷ共振子、または図１１のＳＡＷ共振子２４−１２か２４−３４に相当する。
【００１６】
この図１４（ａ）のＴ型回路と（ｂ）のπ型回路の構成を考慮すれば、上述した挿入損失特性の劣化原因は、π型回路の直列アームＳＡＷ共振子２４−００の接続にあると思われる。
一般的に、任意の二端子対電気回路網を接続するとき、段間反射及び挿入損失を抑制するためには、接続する端子からみたそれぞれの電気回路網のインピーダンスの値が互いに共役でなければならない。しかし、従来、共振器型ＳＡＷフィルタのはしご型回路を構成するとき、その点を考慮していないことが現状で、単なる各段間の信号の相互反射を考慮してインピーダンスの等しい端子同士で接続させるだけであった。
本発明は、従来技術が持つこのような課題を解決し、低挿入損失で、帯域外減衰量の高い共振器型ＳＡＷフィルタを提供することを目的とする。
【００１７】
【課題を解決するための手段】
図１５（ａ）〜（ｃ）は本発明の接続方法の原理説明図であり、同図（ａ）は任意の二端子対電気回路網、同図（ｂ）は従来のはしご型フィルタ内の段間の接続方法、及び同図（ｃ）は本発明のフィルタ段間の接続方法を示す図である。
図１５（ａ）の二端子対電気回路網３０には、入力端子３１−１，３２−１と出力端子３１−２，３２−２が設けられている。入力端子３１−１，３２−１を特性インピーダンスＺ０  で終端すると、出力端子３１−２，３２−２からみたインピーダンスは、一般的にＺ（＝Ｒ＋ｊＸ）で表すことができる。
図１５（ｂ）では、２個の電気回路網３０を、従来の共振器型ＳＡＷフィルタの接続方法で何の対策も講じずに、ただ出力端子３１−２，３２−２同士で接続させている。出力端子３１−２，３２−２からみた両方の電気回路網３０のインピーダンスは同じＺ（＝Ｒ＋ｊＸ）なので、この接続方法では、両電気回路網３０間にある出力端子３１−２，３２−２において不整合損失の発生を避けられない。従来の接続理論によれば、出力端子３１−２，３２−２からみた一方の電気回路網３０のインピーダンスがＺ（＝Ｒ＋ｊＸ）であれば、他方の電気回路網３０のインピーダンスはＺの共役インピーダンス（＝Ｒ−ｊＸ）でなければならない。このような条件で接続させると、それぞれの電気回路網３０のインピーダンスのリアクタンス分が打ち消し合い、不整合損失が最小限に抑制される。
【００１８】
出力端子３１−２，３２−２からみた両方の電気回路網３０のインピーダンスが同じＺ（＝Ｒ＋ｊＸ）の場合、従来の接続理論の条件を満たすためには、両方の電気回路網３０のインピーダンスのリアクタンス分を打ち消す目的で、例えば両方の電気回路網３０の出力端子３１−２，３２−２間に純リアクタンス分しか持たないインピーダンスＺｍ（＝−２ｊＸ）を直列に接続させればよい。
図１５（ｃ）では、図１５（ｂ）の電気回路網３０の接続方法を従来の接続理論の条件を満たせるような接続方法を示している。このようにインピーダンスＺｍを直列に加えることにより、両電気回路網３０間に従来の接続理論の条件が満たされるので、両電気回路網３０における不整合損失が最小限に抑制されることになる。しかし、インピーダンスＺｍの値を−２ｊＸにすることは、あくまでも理想的な場合であり、実用的にはインピーダンスＺｍの値は、出力端子３１−２，３２−２における両方の電気回路網３０のインピーダンスのリアクタンス分を小さく抑制できるような値であればよい。
【００１９】
本発明では、図１５（ｃ）に示す接続原理を採用し、以下のように構成することにより、共振器型ＳＡＷフィルタの挿入損失特性を改善している。
本発明のうちの請求項１に係る発明では、ＩＤＴでそれぞれ形成された直列アームＳＡＷ共振子と並列アームＳＡＷ共振子によって構成されるはしご型回路を２段以上備え、前記２段以上のはしご型回路によって１つ以上のπ型回路が形成される形で、それらのはしご型回路が縦続接続されて同一の圧電基板上に形成される共振器型ＳＡＷフィルタであって、前記π型回路の直列アームＳＡＷ共振子と同一ピッチのＩＤＴを有する段間整合用ＳＡＷ共振子を、該π型回路の直列アームＳＡＷ共振子と直列に接続している。
このような構成を採用したことにより、例えば、従来の接続方法で加算して大きくなった各段のインピーダンスのリアクタンス分が小さく抑制され、従来の接続方法で発生した段間不整合損失が抑制される。
【００２０】
請求項２に係る発明では、請求項１の共振器型ＳＡＷフィルタにおいて、前記段間整合用ＳＡＷ共振子のＩＤＴのピッチを、前記π型回路における直列アームＳＡＷ共振子のＩＤＴのピッチより狭くし、共振周波数と反共振周波数をさらに数ＭＨｚから数十ＭＨｚ高域に移動させる構成にしている。
このような構成を採用したことにより、例えば、従来の接続方法で発生した段間不整合損失が抑制されると共に、挿入損失特性の通過帯域外の高域に１個の減衰極が発生し、帯域外高域側の減衰量が増える。
請求項３に係る発明では、請求項１の共振器型ＳＡＷフィルタにおいて、前記段間整合用ＳＡＷ共振子を複数の直列ＳＡＷ共振子に分解し、これらの分解した直列ＳＡＷ共振子系の静電容量を、分解前の段間整合用ＳＡＷ共振子の静電容量とほぼ同一にし、該分解された各々の直列ＳＡＷ共振子のＩＤＴのピッチを、それぞれ前記π型回路における直列アームＳＡＷ共振子のＩＤＴのピッチより狭くしながら異なる値にし、該分解された直列ＳＡＷ共振子の共振周波数と反共振周波数を、数ＭＨｚから数十ＭＨｚを基準にして、さらに高域に移動させる構成にしている。
【００２１】
このような構成を採用したことにより、例えば、従来の接続方法で発生した段間不整合損失が抑制されると共に、挿入損失特性の通過帯域外の高域に複数の減衰極が発生し、帯域外高域側の減衰量が増える。
請求項４に係る発明では、請求項１の共振器型ＳＡＷフィルタにおいて、前記π型回路の直列アームＳＡＷ共振子と同一ピッチのＩＤＴを有する段間整合用ＳＡＷ共振子と、これに直列に接続される該直列アームＳＡＷ共振子とを合成して、ＳＡＷ共振子の数を減らす構成にしている。
このような構成を採用したことにより、例えば、従来の接続方法で発生した段間不整合損失が抑制される。
【００２２】
【発明の実施の形態】
第１の実施形態
本発明の第１の実施形態を示す共振器型ＳＡＷフィルタの（１）構成、（２）動作、（３）効果、（４）利用形態、（５）第１の変形例、及び（６）第２の変形例を以下説明する。
（１）  構成
図１（ａ），（ｂ）は本発明の第１の実施形態を示す共振器型ＳＡＷフィルタの説明図であり、同図（ａ）はπ型回路になっている２段はしご型回路で構成される共振器型ＳＡＷフィルタの構成図、及び同図（ｂ）はその共振器型ＳＡＷフィルタの伝送特性図である。
なお、図１では本実施形態を理解し易くするために、フィルタを構成するはしご型回路の段数を２段のπ型回路としているが、段数がこれ以上多くなっても基本的な考え方は同じなので問題はない。３段以上の共振器型ＳＡＷフィルタについては、（５），（６）の変形例で説明する。
【００２３】
図１（ａ）に示すように、本実施形態の共振器型ＳＡＷフィルタは、２段はしご型回路４０−１，４０−２で構成されている。１段目はしご型回路４０−１は、入力端子４１−１１，４２−１１及び出力端子４１−１２，４２−１２を有し、該端子４１−１１と４２−１１との間に並列アームＳＡＷ共振子４３−１が接続され、さらに該端子４１−１１と４１−１２との間に直列アームＳＡＷ共振子４４−１が接続されている。２段目はしご型回路４０−２は、入力端子４１−２１，４２−２１及び出力端子４１−２２，４２−２２を有し、該端子４１−２２と４２−２２との間に並列アームＳＡＷ共振子４３−２が接続され、さらに該端子４１−２１と４１−２２との間に直列アームＳＡＷ共振子４４−２が接続されている。各ＳＡＷ共振子４３−１，４３−２，４４−２は、例えば、従来の図５あるいは図１２（ａ）と同一の構成である。このうち、ＳＡＷ共振子４３−１と４３−２は全く同じ素子なので、インピーダンスが等しい。同様に、ＳＡＷ共振子４４−１と４４−２も全く同じ素子なので、インピーダンスが等しい。
【００２４】
前記原理説明で述べたように、従来の共振器型ＳＡＷフィルタでは、端子４１−１２，４２−１２と端子４１−２１，４２−２１とを直接接続するようになっているが、端子４１−１２，４２−１２と端子４１−２１，４２−２１からみた１段目と２段目のはしご型回路４０−１，４０−２のインピーダンスが全く等しく、両者を接続するとインピーダンスのリアクタンス分が増加し、接続端子４１−１２，４２−１２，４１−２１，４２−２１における不整合損失が増大し、フィルタの挿入損失特性の劣化を招くことになる。
そこで、本実施形態では、加算して増大するリアクタンス分を抑制するために、端子４１−１２と４１−２１との間に、不整合損失抑制用つまり段間整合用の２端子素子５１を直列に接続している。なお、実際の２端子素子５１の配置は、必ずしもＳＡＷ共振子４４−１と４４−２の間でなくてもよい。
【００２５】
１段目はしご型回路４０−１の端子４１−１１，４２−１１と２段目はしご型回路４０−２の端子４１−２２，４２−２２を特性インピーダンスＺ０  で終端すると、端子４１−１２，４２−１２と端子４１−２１，４２−２１からみた１段目と２段目のはしご型回路４０−１，４０−２のインピーダンスが全く等しく、そのリアクタンス分は通過帯域低域側においてかなり高い値の誘導性特性を示す。これに対し、通過帯域低域以外の通過帯域では、そのリアクタンス分が誘導性になったりあるいは容量性になったりするが、その絶対値は通過帯域低域側のリアクタンスの絶対値と比べてかなり小さく、数１０分の１以下である。そのため、従来の接続方法では、既に高くなった１段目と２段目のはしご型回路の通過帯域低域側のインピーダンスのリアクタンス分が加算するので、接続端子における不整合損失がますます大きくなってしまうわけである。それ故、この不整合損失を抑制するために、本実施形態の２端子素子５１では、通過帯域低域側においてインピーダンスのリアクタンス分が容量性特性を持ち、その絶対値が前記加算したリアクタンス分と同程度で、通過帯域低域以外の通過帯域ではそのリアクタンス分の絶対値が小さければよい。また、通過帯域において２端子素子５１のインピーダンスの抵抗分は、低ければ低いほど理想的である。
【００２６】
前記条件を全て満たすような２端子素子５１をみつけることは、かなり困難である。また、いろいろな素子を用いて構成できても、寸法が大きくなり、回路構成も複雑で実用的ではない。しかし、本実施形態の回路構成に用いられるＳＡＷ共振子４４−１（または４４−２）とＳＡＷ共振子４３−１（または４３−２）のインピーダンス特性を調べてみると、フィルタの通過帯域低域側において、リアクタンス分が容量性特性を示しており、工夫次第でＳＡＷ共振子４４−１と４３−１を素子５１として利用することができることがわかった。さらに、ＳＡＷ共振子４４−１と４３−１のリアクタンス特性を比較してみると、ＳＡＷ共振子４４−１の方がその利用に最も適するので、素子５１の構成はＳＡＷ共振子４４−１の構成を基本にする。
ＳＡＷ共振子４４−１は、フィルタの直列アーム共振子であり、フィルタの通過帯域中心付近に共振周波数を持ち、通過帯域高域のすぐ外側に反共振周波数を持つ。２端子素子５１がフィルタの直列アームＳＡＷ共振子４４−１，４４−２と直列に接続されるので、該直列アームＳＡＷ共振子４４−１とほぼ同じ共振周波数と反共振周波数を持てばフィルタ特性に不要な悪影響を及ぼさず、フィルタ通過帯域低域側の不整合損失だけを抑制する。しかし、もし２端子素子５１がフィルタの並列アームＳＡＷ共振子４３−１とほぼ同じ共振周波数と反共振周波数を持てば、フィルタ通過帯域低域側の不整合損失が抑制されても、フィルタ通過帯域高域側が２端子素子５１の反共振周波数の悪影響を受け、劣化してしまう。そこで、本実施形態ではフィルタの直列アームＳＡＷ共振子４４−１の構成を、２端子素子５１の基本構成に採用している。
【００２７】
本実施形態では、フィルタの通過帯域低域側におけるフィルタの１段目と２段目のはしご型回路４０−１，４０−２のリアクタンス分を考慮して、２端子素子５１を２個の直列アームＳＡＷ共振子４４−１に相当するインピーダンスを持つＳＡＷ共振子にする。そのため、２個の直列アームＳＡＷ共振子４４−１を２端子素子５１として用いてもよい。この場合、直列アームＳＡＷ共振子４４−１，４４−２及び２端子素子５１のＩＤＴのピッチは同じなので、図１２に示されたＳＡＷ共振子の合成方法を用いて合成してもよく、しなくてもよい。但し、合成を行う場合、例えば本実施形態では、最初にあったＳＡＷ共振子４４−１，４４−２に加えて段間整合用のＳＡＷ共振子からなる２端子素子５１があるので、全部１個のＳＡＷ共振子に合成すると、多少のインピーダンスのずれが生じることがあるから、合成後のＳＡＷ共振子の対数や交差長を調整する必要がある。また、２端子素子５１は２個の直列アームＳＡＷ共振子４４−１に相当するＳＡＷ共振子なので、図１２の合成方法によると、対数を共振子４４−１と同じようにすれば、交差長は共振子４４−１の交差長の半分になる。従って、例えば共振子４４−１の交差長をＷ１とすれば、２端子素子５１の交差長はＷ１／２になる。
【００２８】
（２）  動作
図１（ａ）の共振器型ＳＡＷフィルタでは、従来と同様に、入力端子４１−１１，４２−１１より高周波信号が入力されると、フィルタを構成する全てのＳＡＷ共振子４３−１，４３−２，４４−１，４４−２及び２端子素子５１のＩＤＴの電極指間に電圧差が生じ、ＳＡＷが励振される。ＳＡＷが励振することにより、ＳＡＷ共振子４３−１，４３−２，４４−１，４４−２及び２端子素子５１が、水晶共振子あるいは従来のＬＣ共振子のようなインピーダンス特性を表し、ＳＡＷ共振子系全体が帯域フィルタの特性を表すことになる。この際、本実施形態で導入したはしご型回路段間の２端子素子５１は、通過帯域低域側の伝送特性を補い、リップル（通過帯域の挿入損失の最大値と最小値の差）の小さい挿入損失特性を実現する。この結果、出力端子４１−２２，４２−２２より通過帯域に周波数の合う信号だけが安定な強度で出力され、通過帯域外の周波数の信号が入力端子４１−１１，４２−１１において反射され、該出力端子４１−２２，４２−２２から出力されない。
【００２９】
（３）  効果
本実施形態の共振器型ＳＡＷフィルタの効果が、図１（ｂ）の伝送特性に示されている。この図１（ｂ）において、Ｂ１は通過帯域低域側において改善した挿入損失特性の部分、及びＢ２はその反射損失特性の部分である。
従来の段間接続方法で常に劣化する通過帯域低域側の挿入損失特性は、図１（ｂ）から明らかなように劣化しなくなってくる。これと同時に、通過帯域低域側の反射損失特性も大きく下がり、段間接続の整合状態が良好であることが明らかである。
通過帯域低域側の挿入損失特性が改善されたことによって特性のリップルも小さくなり、フィルタの挿入損失の評価もよくなる。現在、自動車電話器及び携帯電話器等に使われているフィルタの中にはまだ誘電体フィルタが使われているが、このように共振器型ＳＡＷフィルタの伝送特性を大きく改善できたことで、自動車電話器及び携帯電話器等に使われるフィルタが全てＳＡＷフィルタになり、これらの自動車電話器及び携帯電話器等の小型化、高性能化及び低価格化を飛躍的に推進する効果もある。
【００３０】
（４）  利用形態
本実施形態のように挿入損失特性が改善された共振器型ＳＡＷフィルタは、従来のものと比べて利用し易く、応用範囲も広くなる。一般的に、共振器型ＳＡＷフィルタは、例えば自動車電話器及び携帯電話器等において段間フィルタとして使われるが、共用器用フィルタとしてまだ利用できない。しかし、本実施形態の共振器型ＳＡＷフィルタは、低損失だけでなく、低リップルでもあるので、共用器用フィルタ等としても十分利用できる。即ち、現在、自動車電話器及び携帯電話器等において共用器用フィルタとして誘電体フィルタが使われているが、本実施形態の効果により、自動車電話器及び携帯電話器等に使われるフィルタが全てＳＡＷフィルタになることが期待される。
【００３１】
（５）  第１の変形例
図２は、図１（ａ）の第１の変形例を示すもので、本実施形態の共振器型ＳＡＷフィルタを図１（ａ）の２段はしご型回路から３段はしご型回路に拡張した構成図である。
この共振器型ＳＡＷフィルタは、３段のはしご型回路４０−１〜４０−３が縦続接続されて構成されている。１段目はしご型回路４０−１は、端子４１−１１，４２−１１と端子４１−２１，４２−２１を有し、これらの端子間に並列アームＳＡＷ共振子４３−１及び直列アームＳＡＷ共振子４４−１が接続されている。２段目はしご型回路４０−２は、端子４１−２１，４２−２１と端子４１−２２，４２−２２を有し、これらの端子間に並列アームＳＡＷ共振子４３−２及び直列アームＳＡＷ共振子４４−２が接続されている。３段目はしご型回路４０−３は、端子４１−３１，４２−３１と端子４１−３２，４２−３２を有し、これらの端子間に並列アームＳＡＷ共振子４３−３及び直列アームＳＡＷ共振子４４−３が接続されている。各段の並列アームＳＡＷ共振子４３−１，４３−２，４３−３はそれぞれ同じインピーダンス特性を持つ。各段の直列アームＳＡＷ共振子４４−１，４４−２，４４−３も、それぞれ同じインピーダンス特性を持つ。なお、共振子４３−１と４３−２、及び共振子４４−２と４４−３を、それぞれ図１２に示すように並列合成及び直列合成を行っても差しつかえないが、説明の簡単化を図るため、合成しないでおく。
【００３２】
２段目と３段目のはしご型回路４０−２，４０−３がπ型回路を構成するので、端子４１−２２，４２−２２と端子４１−３１，４２−３１との間に発生するインピーダンス不整合損失を抑制するために、本変形例では端子４１−２２と４１−３１の間に段間整合用ＳＡＷ共振子５２を縦続接続している。ＳＡＷ共振子５２は、フィルタの直列アームＳＡＷ共振子４１−１と同じＩＤＴのピッチを持つが、対数及び交差長は次のように求める。
端子４１−１１，４２−１１を特性インピーダンスＺ０  で終端すると、端子４１−２２，４２−２２からみた回路（直列に接続している１段目と２段目のはしご型回路４０−１，４０−２）の左側のインピーダンスをＺ１（＝Ｒ１＋ｊＸ１）とし、端子４１−３２，４２−３２を特性インピーダンスＺ０  で終端すると、端子４１−３１，４２−３１からみた回路（３段目のはしご型回路４０−３）の右側のインピーダンスをＺ２（＝Ｒ２＋ｊＸ２）とする。上記発明の原理説明で述べたように、不整合損失を最小限に抑制するために、段間整合用ＳＡＷ共振子５２のインピーダンスはフィルタの通過帯域において抵抗分をほぼ持たず（またはゼロ）、リアクタンス分がほぼ−ｊ（Ｘ１＋Ｘ２）に等しければよい。ここで、ＳＡＷ共振子５２のＩＤＴの対数をＳＡＷ共振子４４−１と同じようにすると、リアクタンス分が−ｊ（Ｘ１＋Ｘ２）になる交差長は、例えばＳＡＷ共振子４４−１の交差長をＷ１とすれば、ほぼＷ１×Ｘ２／（Ｘ１＋Ｘ２）になる。この交差長の式は、次のように導き出される。
【００３３】
本変形例の説明に用いたインピーダンスＺ２（＝Ｒ２＋ｊＸ２）は、回路の構成からみれば前記第１の実施形態の説明に用いたインピーダンスＺ（＝Ｒ＋ｊＸ）に相当し、−２ｊＸ（＝−２ｊＸ２）なるリアクタンス分を得るために対数はＳＡＷ共振子４４−１の対数と同じくして、交差長はＳＡＷ共振子４４−１の交差長Ｗ１の半分にしたＳＡＷ共振子を用いた。また、ＳＡＷ共振子のＩＤＴの静電容量は交差長に比例し、リアクタンスはＩＤＴの静電容量に反比例するから、−ｊ（Ｘ１＋Ｘ２）なるリアクタンス分を得るためには対数をＳＡＷ共振子４４−１の対数と同じくすればよく、容易に段間調整用ＳＡＷ共振子５２の交差長を導出できる。
このような本変形例の共振器型ＳＡＷフィルタは、上記第１の実施形態の動作、効果及び利用形態とほぼ同様である。
【００３４】
（６）  第２の変形例
共振器型ＳＡＷフィルタのはしご型回路の段数が３段以上になると、回路には必ず１つ以上のπ型回路が形成されるので、このπ型回路の直列アームに発生する不整合損失を抑制する作業は、段数が多くなるに連れて複雑になってくる。しかし、共振器型ＳＡＷフィルタのはしご型回路の段数が４段以上になっても、必ず回路の有する全てのπ型回路を分解させずに複数の２段と３段のπ型回路を有するはしご型回路に分けることができる。そして、π型回路を有する各々の２段はしご型回路と３段はしご型回路に上記第１の実施形態及び第１の変形例で実施したπ型回路の直列アームにおける不整合損失抑制対策と同じようなやり方で上記対策を施せば、結果的に共振器型ＳＡＷフィルタの通過帯域低域側の伝送特性劣化を改善できる。従って、上記第１の実施形態は、どのような共振器型ＳＡＷフィルタにも適用できる。
【００３５】
第２の実施形態
図３（ａ），（ｂ）は本発明の第２の実施形態を示す共振器型ＳＡＷフィルタの説明図であり、同図（ａ）はπ型回路になっている２段はしご型回路で構成される共振器型ＳＡＷフィルタの構成図、及び同図（ｂ）はこの共振器型ＳＡＷフィルタの伝送特性図である。以下、この図３（ａ），（ｂ）を参照しつつ、本実施形態の（１）構成、（２）動作、（３）効果、（４）利用形態、及び（５）変形例を説明する。
【００３６】
（１）  構成
図３（ａ）に示すように、本実施形態の共振器型ＳＡＷフィルタは、図１（ａ）と同一の１段目はしご型回路４０−１と２段目はしご型回路４０−２とを有し、これらの回路４０−１，４０−２間を接続する図１（ａ）の２端子素子５１に代え、これと構成の異なる段間整合用ＳＡＷ共振子５３を設けた点のみが第１の実施形態と異なっている。
ＳＡＷ共振子５３の構成及び選択の仕方は、図１（ａ）の２端子素子５１と基本的に同じである。即ち、ＳＡＷ共振子５３は、２個の直列アームＳＡＷ共振子４４−１に相当するインピーダンスを持つＳＡＷ共振子である。そのため、２個の直列アームＳＡＷ共振子４４−１をＳＡＷ共振子５３として用いてもよい。しかし、本実施形態では、ＳＡＷ共振子５３のＩＤＴのピッチをＳＡＷ共振子４４−１のＩＤＴのピッチよりわずかに狭く設計することで、該ＳＡＷ共振子５３の共振周波数と反共振周波数をさらに高域の方に移動させるようにしている。これが、第１の実施形態との重要な相違点である。また、ＳＡＷ共振子５３のＩＤＴのピッチとＳＡＷ共振子４４−１のＩＤＴのピッチとが異なるから、第１の実施形態の２端子素子５１とＳＡＷ共振子４４−１のように、図１２に示したＳＡＷ共振子の合成方法を用いることができない。
【００３７】
（２）  動作
本実施形態の共振器型ＳＡＷフィルタは、第１の実施形態の共振器型ＳＡＷフィルタと同一の動作を行う。
（３）  効果
本実施形態では、ＳＡＷ共振子５３のＩＤＴのピッチをＳＡＷ共振子４４−１のＩＤＴのピッチよりわずかに狭く設計し、該ＳＡＷ共振子５３の共振周波数と反共振周波数を数ＭＨｚから数十ＭＨｚ高域の方に移動させる。このようにＳＡＷ共振子５３のインピーダンス特性が高域の方に移動することで、共振器型ＳＡＷフィルタの通過帯域低域側におけるＳＡＷ共振子５３のインピーダンスのリアクタンス分の変動も生じるが、数十ＭＨｚ以内の高域移動ならそれほど変動しないことを実験的に確認した。ちなみに、このような高域移動で容量性であるＳＡＷ共振子５３のインピーダンスのリアクタンス分は、増加する方向に変動する。
しかし、前記のようなインピーダンス特性の変動があっても、ＳＡＷ共振子５３は、第１の実施形態の段間整合用２端子素子５１と同じように段間不整合損失を抑制できる。それに、共振周波数と反共振周波数が高域に移動することで、共振器型ＳＡＷフィルタの挿入損失特性の帯域外高域側にＳＡＷ共振子５３の反共振周波数と同じ周波数において１個の減衰極が発生するので、高域減衰量が増加するという効果が得られる。
【００３８】
本実施形態の効果を示す図３（ｂ）の伝送特性において、Ｃ１は通過帯域低域側において改善した挿入損失特性の部分、Ｃ２はその反射損失特性の部分、Ｃ３は帯域外高域に発生する減衰極である。この図から明らかなように、第１の実施形態の場合と同様に、従来の段間接続方法で常に劣化する通過帯域低域側の挿入損失特性が劣化しなくなり、通過帯域低域側の反射損失特性も大きく下がる。しかも、帯域外高域に発生する減衰極Ｃ３により、本実施形態の共振器型ＳＡＷフィルタの挿入損失特性の高域減衰量の増加が明らかである。
（４）  利用形態
本実施形態の共振器型ＳＡＷフィルタでは、挿入損失特性の通過帯域の特性が改善されたばかりでなく、高域に１個の減衰極を設け、高域減衰量の増加を実現できたことで、本実施形態の共振器型ＳＡＷフィルタは第１の実施形態の共振器型ＳＡＷフィルタより優れた伝送特性を持つ。よって、第１の実施形態の共振器型ＳＡＷフィルタのように自動車電話器及び携帯電話器等の中に用いたり、さらに周波数帯域の調整で様々な通信機器等にも利用できる。
【００３９】
（５）  変形例
本実施形態では、π型回路なる２段はしご型回路の共振器型ＳＡＷ共振子の場合しか説明しなかったが、第１の実施形態と同様に、段数が２段あるいはこれ以上に増えても、第１の実施形態の第１及び第２の変形例で説明したような段間不整合損失抑制対策を本実施形態にも適用できる。但し、この場合も段間調整に用いるＳＡＷ共振子は、本実施形態の図３（ａ）のＳＡＷ共振子５３と同様に、インピーダンス特性が高域に移動させられるものである。
第３の実施形態
図４（ａ），（ｂ）は本発明の第３の実施形態を示す共振器型ＳＡＷフィルタの説明図であり、同図（ａ）はπ型回路になっている２段はしご型回路で構成される共振器型ＳＡＷフィルタの構成図、及び同図（ｂ）はこの共振器型ＳＡＷフィルタの伝送特性図である。この図を参照しつつ、本実施形態の（１）構成、（２）動作、（３）効果、（４）利用形態、及び（５）変形例を説明する。
【００４０】
（１）  構成
図４（ａ）に示すように、本実施形態の共振器型ＳＡＷフィルタは、第２の実施形態の図３（ａ）と同様な２段はしご型回路４０−１，４０−２を有し、これらの回路４０−１，４０−２間に、図３（ａ）のＳＡＷ共振子５３に代えて、直列に接続した段間整合用のＳＡＷ共振子５４，５５を設けた点のみが第２の実施形態と異なっている。
ＳＡＷ共振子５４と５５は、図３（ａ）のＳＡＷ共振子５３を分解して得られたものである。分解の仕方はいろいろ考えられるが、分解後のＳＡＷ共振子５４と５５の直列合成静電容量はＳＡＷ共振子５３とほぼ同じ程度にすることが基本である。ここでは、説明を簡単にするために、ＳＡＷ共振子５４と５５はそれぞれ直列アームＳＡＷ共振子４４−１と同じ構成にする。そのため、直列に接続しているＳＡＷ共振子５４と５５の合成インピーダンスは、２個の直列アームＳＡＷ共振子４４−１に相当し、図３（ａ）のＳＡＷ共振子５３のインピーダンスとほぼ同じである。但し、ここでは、例えばＳＡＷ共振子５４を図３（ａ）のＳＡＷ共振子５３と同じようにＩＤＴのピッチを狭くし、インピーダンス特性を高域に数十ＭＨｚ移動させ、さらにＳＡＷ共振子５５も同じようにさらにＩＤＴのピッチを狭くし、インピーダンス特性をＳＡＷ共振子５４よりさらに高域に移動させている。
このように、本実施形態と第２の実施形態の共振器型ＳＡＷフィルタの相違点は、１個の段間整合用ＳＡＷ共振子５３を、周波数帯域の異なった２個の直列に接続したＳＡＷ共振子５４と５５に分解したことである。
【００４１】
（２）  動作
本実施形態の共振器型ＳＡＷフィルタは、第１の実施形態の共振器型ＳＡＷフィルタと同様の動作を行う。
（３）  効果
本実施形態では、ＳＡＷ共振子５４のＩＤＴのピッチをＳＡＷ共振子４４−１のＩＤＴのピッチよりわずかに狭く設計し、該ＳＡＷ共振子５４の共振周波数と反共振周波数を数ＭＨｚから数十ＭＨｚ高域の方に移動させている。さらに、ＳＡＷ共振子５５のＩＤＴのピッチをＳＡＷ共振子５４のＩＤＴのピッチよりさらに狭くし、その共振周波数と反共振周波数を該ＳＡＷ共振子５４よりさらに数ＭＨｚ高域の方に移動させている。そのため、第２の実施形態の効果で説明したように、このようなインピーダンス特性の高域への移動によるインピーダンスのリアクタンス分の変動はほとんどない。
【００４２】
しかし、前記のようなインピーダンス特性の変動があっても、直列接続しているＳＡＷ共振子５４と５５は第１の実施形態の段間整合用の２端子素子５１または第２の実施形態の段間整合用ＳＡＷ共振子５３と同じように、段間不整合損失を抑制できる。それに、共振周波数と反共振周波数が高域に移動することで、共振器型ＳＡＷフィルタの挿入損失特性の帯域外高域側にＳＡＷ共振子５４と５５の反共振周波数と同じ周波数において１個ずつの減衰極が発生するので、高域減衰量が増加するという効果が得られる。
本実施形態の効果を示す図４（ｂ）の伝送特性において、Ｄ１は通過帯域低域側において改善した挿入損失特性の部分、Ｄ２はその反射損失特性の部分、Ｄ３は帯域外高域に発生する２個の減衰極である。この図に示すように、第１及び第２の実施形態の場合と同じように、従来の段間接続方法で常に劣化する通過帯域低域側の挿入損失特性が劣化しなくなり、通過帯域低域側の反射損失特性も大きく下がる。しかも、２個の減衰極Ｄ３の発生で、本実施形態の共振器型ＳＡＷフィルタの挿入損失特性の高域減衰量は、第２の実施形態の挿入損失特性の高域減衰量よりさらに増加し、その減衰帯域も広くなる。
【００４３】
（４）  利用形態
本実施形態では、挿入損失特性の通過帯域の特性が改善されたばかりでなく、高域に２個の減衰極Ｄ３を設け、高域減衰量の増加及び高域減衰帯域の拡大を実現できたことで、本実施形態の共振器型ＳＡＷフィルタは第１及び第２の実施形態の共振器型ＳＡＷフィルタより優れた伝送特性を持つことになる。よって、第１及び第２の実施形態の共振器型ＳＡＷフィルタのように自動車電話器及び携帯電話器等の中に用いられ、さらに周波数帯域の調整で様々な通信機器等にも利用できる。
【００４４】
（５）  変形例
本実施形態では、π型回路なる２段はしご型回路４０−１，４０−２の共振器型ＳＡＷ共振子の場合しか説明しなかったが、第１及び第２の実施形態と同様に、段数が３段あるいはこれ以上に増えても、第１の実施形態の第１及び第２の変形例で説明したような段間不整合損失抑制対策を本実施形態にも適用できる。但し、この場合も段間整合に用いるＳＡＷ共振子は本実施形態のＳＡＷ共振子５４と５５と同様に、インピーダンス特性が高域に移動させられるものである。
また、本実施形態の特徴は、第２の実施形態の段間整合用ＳＡＷ共振子５３を周波数帯域の異なった２個の直列に接続したＳＡＷ共振子５４と５５に分解することである。しかし、直列合成静電容量をほぼ一定に維持できれば、必ずしもＳＡＷ共振子５３を２個の直列接続ＳＡＷ共振子５４，５５にでなく、３個以上の直列接続ＳＡＷ共振子に分解してもよい。但し、３個以上に分解する場合、各々のＳＡＷ共振子のインピーダンス特性は少しずつ高域に移動させられ、周波数の移動幅が一番広くても十数ＭＨｚ程度が望ましい。そうすると、共振器型ＳＡＷフィルタの挿入損失特性の帯域外高域側に段間調整用の各々のＳＡＷ共振子の反共振周波数と同じ周波数において１個ずつの減衰極が発生するので、この減衰極が段間整合用ＳＡＷ共振子の数と同じになる。結果的に、高域減衰量もさらに増加し、減衰帯域もさらに広くなる。
【００４５】
【発明の効果】
以上詳細に説明したように、本発明のうちの請求項１に係る発明では、同一圧電基板上にＳＡＷフィルタの構成に必要な直列アームと並列アーム用の複数のＳＡＷ共振子を作成し、これらのＳＡＷ共振子を用いて２段以上のはしご型回路を構成し、前記はしご型回路に１つ以上のπ型回路が形成される場合において、前記π型回路の直列アームＳＡＷ共振子と同じピッチのＩＤＴの段間整合用ＳＡＷ共振子を設け、これを前記各π型回路の前記直列アームＳＡＷ共振子と直列に接続している。そのため、例えば、従来の接続方法で加算して大きくなった各段のインピーダンスのリアクタンス分を小さく抑制し、従来の接続方法で発生した段間不整合損失を抑制できる。
請求項２に係る発明では、請求項１の段間調整用ＳＡＷ共振子のＩＤＴのピッチを、ＳＡＷフィルタの構成に必要な直列アーム用ＳＡＷ共振子のＩＤＴのピッチより狭くし、共振周波数と反共振周波数をさらに数ＭＨｚから数十ＭＨｚ高域に移動させている。そのため、例えば、従来の接続方法で発生した段間不整合損失を抑制でき、同時に挿入損失特性の通過帯域外の高域に１個の減衰極を発生させ、帯域外高域側の減衰量を増加できる。
【００４６】
請求項３に係る発明では、請求項１の段間調整用ＳＡＷ共振子を複数の直列ＳＡＷ共振子に分解し、この直列ＳＡＷ共振子系の静電容量をほぼ分解前のＳＡＷ共振子の静電容量と同じにし、分解で得られた各々のＳＡＷ共振子のＩＤＴのピッチをそれぞれＳＡＷフィルタの構成に必要な直列アーム用ＳＡＷ共振子のＩＤＴのピッチより狭くしながら異なった値にし、これらの新しいＳＡＷ共振子の共振周波数と反共振周波数を請求項２の発明よりもさらに高域に移動させるようにしている。そのため、例えば、従来の接続方法で発生した段間不整合損失を抑制でき、これと同時に挿入損失特性の通過帯域外の高域に複数の減衰極を発生させ、帯域外高域側の減衰量をより増加できる。                                請求項４に係る発明では、請求項１の段間調整用ＳＡＷ共振子と直列に接続しているＳＡＷフィルタの構成に必要な直列アーム用ＳＡＷ共振子のＩＤＴのピッチが同一なので、ＳＡＷ共振子の数を減らすためにできるだけこれらのＳＡＷ共振子を合成するようにしている。そのため、従来の接続方法で発生した段間不整合損失を抑制できる。
【図面の簡単な説明】
【図１】本発明の第１の実施形態を示す共振器型ＳＡＷフィルタの説明図である。
【図２】図１（ａ）の第１の変形例を示す共振器型ＳＡＷフィルタの構成図である。
【図３】本発明の第２の実施形態を示す共振器型ＳＡＷフィルタの説明図である。
【図４】本発明の第３の実施形態を示す共振器型ＳＡＷフィルタの説明図である。
【図５】従来のＳＡＷ共振子の平面図である。
【図６】図５のＳＡＷ共振用反射器の平面図である。
【図７】図５のＳＡＷ共振子の等価回路とリアクタンス特性を示す図である。
【図８】一般的な１段はしご型回路の構成図である。
【図９】図８の１段はしご型回路の挿入損失特性の説明図である。
【図１０】従来の共振子合成前の４段はしご型回路で構成される共振器型フィルタの構成図である。
【図１１】図１０の共振子合成後の４段はしご型回路で構成される共振器型フィルタの構成図である。
【図１２】従来のＳＡＷ共振子の合成方法の説明図である。
【図１３】図１１の共振器型ＳＡＷフィルタの伝送特性図である。
【図１４】従来の２段はしご型回路の構成図である。
【図１５】本発明の接続方法の原理説明図である。
【符号の説明】
１０，１０Ａ，１０Ａ−１，１０Ａ−２，１０Ａ−１２    ＳＡＷ共振子
１１                                                  圧電基板
１４                                                  ＩＤＴ
１４ａ，１５ａ                                        電極指
１５−１，１５−２                                    反射器
４０−１，４０−２，４０−３                          はしご型回路
４３−１，４３−２，４３−３                          並列アームＳＡＷ共振子
４４−１，４４−２，４４−３                          直列アームＳＡＷ共振子
５１                                                  段間整合用２端子素子
５２，５３，５４，５５                                段間整合用ＳＡＷ共振子
【図１】
0003576350.tif 000002
【図２】
0003576350.tif 000003
【図３】
0003576350.tif 000004
【図４】
0003576350.tif 000005
【図５】
0003576350.tif 000006
【図６】
0003576350.tif 000007
【図７】
0003576350.tif 000008
【図８】
0003576350.tif 000009
【図９】
0003576350.tif 000010
【図１０】
0003576350.tif 000011
【図１１】
0003576350.tif 000012
【図１２】
0003576350.tif 000013
【図１３】
0003576350.tif 000014
【図１４】
0003576350.tif 000015
【図１５】
0003576350.tif 000016